(57)【要約】【課題】  うつ伏寝の際に体の下に敷かれて体を安定させ胸，背中等を痛めるのを確実に防止する。【解決手段】  敷かれた状態で長手方向が首から腰骨の上部までに対応する長さａとされ短手方向が肩幅に対応する長さｂとされる平面形状に形成され、弾力復元性を有し相対的に圧縮変形性の低い上層部１と弾力復元性を有し相対的に圧縮変形性の高い下層部２とを備えている。上層部１は、長手方向の一端部が顎を係止させることができる程度の圧縮変形性を有し短手方向の中央部に両側部から傾斜面１２ａをもって凹んだ凹部１２が設けられている。【選択図】図１
2009148327.tif 000002
【特許請求の範囲】
【請求項１】
敷かれた状態で長手方向が首から腰骨の上部までに対応する長さとされ短手方向が肩幅に対応する長さとされる平面形状に形成され、弾力復元性を有し相対的に圧縮変形性の低い上層部と弾力復元性を有し相対的に圧縮変形性の高い下層部とを備え、上層部は長手方向の一端部が顎を係止させることができる程度の圧縮変形性を有し短手方向の中央部に両側部から傾斜面をもって凹んだ凹部が設けられていることを特徴とするうつ伏寝用マット。
【請求項２】
請求項１のうつ伏寝用マットにおいて、上層部の凹部は胸が対面する部分が他の部分よりも短手方向に広く下層部方向に深くなっていることを特徴とするうつ伏寝用マット。
【請求項３】
請求項１または２のうつ伏寝用マットにおいて、上層部の凹部は胸から上腹部までの湾曲形状に対応して湾曲されていることを特徴とするうつ伏寝用マット。
【請求項４】
請求項１〜３のいずれかのうつ伏寝用マットにおいて、上層部は下層部と同等以上に圧縮変形性の高い最上層部で覆われていることを特徴とするうつ伏寝用マット。
【請求項５】
請求項１〜４のいずれかのうつ伏寝用マットにおいて、全体が防水性の下カバー材で覆われ、下カバー材が肌接触性の良好な材質の上カバー材で覆われていることを特徴とするうつ伏寝用マット。
【発明の詳細な説明】
【技術分野】
【０００１】
本発明は、うつ伏寝の際に体の下に敷くうつ伏寝用マッに係る技術分野に属する。
【背景技術】
【０００２】
最近、網膜剥離の治療にうつ伏寝が有効であるとの研究が発表され、この療法が広範に実施されるようになってきている。この療法では、１週間から１０日間程度の長期のうつ伏寝の継続が要求される。このため、うつ伏寝の際に、体の下にマットを敷いて胸，背中等を痛めるのを防止することが行われている。
【０００３】
従来、うつ伏寝の際に体の下に敷くマットとしては、例えば、下記特許文献１に記載のものが知られている。
特許文献１には、頭の下に敷かれる頭部マットと胸の下に敷かれる胸部マットとを備え、胸部マットの厚さを下半身方向へ向けて順次薄くなるようにしたうつ伏寝用マットが記載されている。
【０００４】
特許文献１に係るうつ伏寝用マットは、呼吸によって相対的に大きく変動する胸の上半身側を胸部マットの厚さの厚い部分で支え、呼吸によって相対的に小さく変動する胸の下半身側を胸部マットの厚さの薄い部分で支えることで、胸，背中等を痛めるのを有効に防止しようとするものである。
【特許文献１】実開平４−８０５２１号公報
【発明の開示】
【発明が解決しようとする課題】
【０００５】
特許文献１に係るうつ伏寝用マットでは、胸部マットの厚さを異ならせて長手方向（上下半身方向）の胸の支えに工夫が凝らされているものの、胸以外の部位と体の短手方向（左右半身方向）との支えに考慮がなされていないため、体が不安定になりやすく胸，背中等を痛めるのを確実に防止することができないという問題点がある。
【０００６】
本発明は、このような問題点を考慮してなされたもので、うつ伏寝の際に体の下に敷かれて体を安定させ胸，背中等を痛めるのを確実に防止することのできるうつ伏寝用マットを提供することを課題とする。
【課題を解決するための手段】
【０００７】
前述の課題を解決するため、本発明に係るうつ伏寝用マットは、特許請求の範囲の各請求項に記載の手段を採用する。
【０００８】
即ち、請求項１では、敷かれた状態で長手方向が首から腰骨の上部までに対応する長さとされ短手方向が肩幅に対応する長さとされる平面形状に形成され、弾力復元性を有し相対的に圧縮変形性の低い上層部と弾力復元性を有し相対的に圧縮変形性の高い下層部とを備え、上層部は長手方向の一端部が顎を係止させることができる程度の圧縮変形性を有し短手方向の中央部に両側部から傾斜面をもって凹んだ凹部が設けられていることを特徴とする。
【０００９】
この手段では、相対的に圧縮変形性が低く凹部のある上層部によって首から腰骨の上部までの全体がソフトなコルセットのように半固定的に支持され、上層部への顎の係止でさらに頭までも半固定的に支持され、上層部の支持状態の荷重が相対的に圧縮変形性が高い下層部で吸収され、体に掛かる圧力が上層部の全面に分散される。特に、重力で横方向の押広げられる胸の脇腹部分が上層部の凹部の傾斜面で支えられる。
【００１０】
また、請求項２では、請求項１のうつ伏寝用マットにおいて、上層部の凹部は胸が対面する部分が他の部分よりも短手方向に広く下層部方向に深くなっていることを特徴とする。
【００１１】
この手段では、上層部の凹部が呼吸によって大きく変動する胸を支える部分において拡張されている。
【００１２】
また、請求項３では、請求項１または２のうつ伏寝用マットにおいて、上層部の凹部は胸から上腹部までの湾曲形状に対応して湾曲されていることを特徴とする。
【００１３】
この手段では、上層部の凹部の傾斜面が胸から上腹部までの湾曲形状にフィットするように湾曲される。
【００１４】
また、請求項４では、請求項１〜３のいずれかのうつ伏寝用マットにおいて、上層部は下層部と同等以上に圧縮変形性の高い最上層部で覆われていることを特徴とする。
【００１５】
この手段では、最上層部の圧縮変形が上層部へのフィットを補助する。
【００１６】
また、請求項４では、請求項１〜４のいずれかのうつ伏寝用マットにおいて、全体が防水性の下カバー材で覆われ、下カバー材が肌接触性の良好な材質の上カバー材で覆われていることを特徴とする。
【００１７】
この手段では、下カバー材，上カバー材で最上層部，上層部，下層部を一体化させて無用の変形を阻止するとともに、上カバー材で直接の感触を避けた下カバー材で汗の吸収によるカビの発生阻止する。
【発明の効果】
【００１８】
本発明に係るうつ伏寝用マットは、相対的に圧縮変形性が低く凹部のある上層部によって首から腰骨の上部までの全体がソフトなコルセットのように半固定的に支持され、上層部への顎の係止でさらに頭までも半固定的に支持され、上層部の支持状態の荷重が相対的に圧縮変形性が高い下層部で吸収され、体に掛かる圧力が上層部の全面に分散されるため、うつ伏寝の際に体の下に敷かれて体を安定させ胸，背中等を痛めるのを確実に防止することができる効果がある。また、重力で横方向の押広げられる胸の脇腹部分が上層部の凹部の傾斜面で支えられ、脆弱な肋骨の変形が軽減されるため、胸の脇腹部分の局所的な痛みの発生を防止することができる効果がある。
【００１９】
さらに、請求項２として、上層部の凹部が呼吸によって大きく変動する胸を支える部分において拡張されているため、うつ伏寝の窮屈感を解消することができる効果がある。
【００２０】
さらに、請求項３として、上層部の凹部の傾斜面が胸から上腹部までの湾曲形状にフィットするように湾曲されるため、上層部のソフトなコルセットのような半固定的な支持の機能が高められる効果がある。
【００２１】
さらに、請求項４として、最上層部の圧縮変形が上層部へのフィットを補助するため、種々の体型の人でも使用することのできる汎用性が得られる効果がある。
【００２２】
さらに、請求項５として、下カバー材，上カバー材で最上層部，上層部，下層部を一体化させて無用の変形を阻止するとともに、上カバー材で直接の感触を避けた下カバー材で汗の吸収によるカビの発生阻止するため、良好な使用感での長期の使用が可能になる効果がある。
【発明を実施するための最良の形態】
【００２３】
以下、本発明に係るうつ伏寝用マットを実施するための最良の形態を図面に基づいて説明する。
【００２４】
図１〜図４は、本発明に係るうつ伏寝用マットを実施するための最良の形態の第１例を示すものである。
【００２５】
第１例では、網膜剥離の治療でうつ伏寝の際に体の下に敷くのに有効なものを示してある。
【００２６】
第１例は、図１に示すように、長手方向の長さａが首から腰骨の上部までとされ、短手方向の長さｂが肩幅とされ、敷かれた状態で平面形状が方形になるように形成されている。そして、図２に示すように、上層部１，下層部２，下カバー材３，上カバー材４の各部で構成されている。
【００２７】
上層部１は、弾力復元性のある発泡性の合成樹脂材（例えば、スポンジ）等で下層部２よりも低い圧縮変形性に設定されて異形のブロック体に形成されている。上層部１の長手方向の一端部に顎を係止させることができる湾曲した係止部１１が設けられ、短手方向の中央部に凹部１２が設けられ両側部に凸部１３が設けられている。凹部１２は、凸部１３から湾曲した傾斜面１２ａをもって底面１２ｂに延びるように凹んだ形状に形成され、基本的に上半身側から下半身側に向けても下降傾斜しているが、胸が対面する部分Ａが他の部分Ｂよりも短手方向に広く下層部２方向に深くなっている。即ち、凹部１２は、胸から上腹部までの湾曲形状に対応して湾曲されていることになる。凸部１３は、凹部１２の形状から、胸から上腹部までの脇に達する隆起となっている。
【００２８】
下層部２は、弾力復元性のある発泡性の合成樹脂材（例えば、スポンジ）等で上層部１よりも高い圧縮変形性に設定されて方形のブロック体に形成されている。下層部２は、上層部１の下側に位置される。
【００２９】
下層部２については、上層部１の下側部分を加工して圧縮変形性を高めることもできるし、別個形成したものを上層部１の下面に接合させることもできる。
【００３０】
下カバー材３は、防水性を有する合成樹脂シート等からなるもので、上層部１，下層部２の全体を覆っている。
【００３１】
下カバー材３については、上層部１，下層部２が接着されない別体の場合に両者を一体化させる機能を奏させる。なお、抗菌剤，芳香剤等を混入させることもできる。
【００３２】
上カバー材４は、吸湿性のある布地等の肌接触性の良好な材質からなるもので、下カバー材３の全体を覆っている。
【００３３】
下カバー材３，上カバー材４については、チャック等を取付けて上層部１，下層部２を取出すことができるようにするのが好ましい。
【００３４】
第１例によると、網膜剥離の治療でうつ伏寝の際に体の下に敷くと、相対的に圧縮変形性が低く凹部１２のある上層部１によって、首から腰骨の上部までの全体がソフトなコルセットのように半固定的に支持されることになる。この支持は、上層部１の両側部に隆起した格好となる凸部１３によって横ずれが阻止されて保持される。そして、上層部１へ係止部１１への顎の係止でさらに頭までも半固定的に支持されることになる。さらに、首から腰骨の上部までの荷重が上層部１が少しの圧縮変形で吸収されるとともに、上層部１の支持状態の荷重が下層部２の大きな圧縮変形で吸収される。従って、網膜剥離の治療のような長期であっても、体に掛かる圧力が上層部１の全面に分散されるため、うつ伏寝の際に体の下に敷かれて体を安定させ胸，背中等を痛めるのを確実に防止することができる。なお、額に枕をあてがうとより頭を安定化させることができる。特に、重力で横方向の押広げられる胸の脇腹部分が上層部１の凹部１２の傾斜面１２ａで支えられ、脆弱な肋骨の変形が軽減されるため、胸の脇腹部分の局所的な痛みの発生を防止することができる。
【００３５】
また、上層部１の凹部１２が呼吸によって大きく変動する胸に対面して支える部分Ａにおいて拡張されているため、うつ伏寝の窮屈感を解消することができる。また、下カバー材３，上カバー材４で上層部１，下層部２を一体化させて無用の変形を阻止し、上カバー材４で直接の感触を避けた下カバー材３で汗の吸収によるカビの発生阻止するため、良好な使用感での長期の使用が可能になる。
【００３６】
図５は、本発明に係るうつ伏寝用マットを実施するための最良の形態の第２例を示すものである。
【００３７】
第２例では、上層部１の凹部１２の胸に対面する部分Ａの傾斜面１２ａから底面１２にかけての部分に女性の乳房に対応する補助凹部１２ｃが設けられている。そして、補助凹部１２ｃを埋めるためのパット５が備えられている。
【００３８】
第２例によると、パット５を取外して使用することで、女性の乳房の窮屈感を解消することができる。また、パット５を取付けて使用することで、男性が胸付近に違和感を感じするのを避けることができる。従って、女性，男性の共用が可能で汎用性が高くなる。
【００３９】
図６は、本発明に係るうつ伏寝用マットを実施するための最良の形態の第３例を示すものである。
【００４０】
第３例では、上層部１が下層部２と同等以上に圧縮変形性の高い最上層部６で覆われている。
【００４１】
第２例によると、最上層部６の圧縮変形が上層部１へのフィットを補助することになる。従って、種々の体型の人でも使用することができ汎用性が高くなる。
【００４２】
図７は、本発明に係るうつ伏寝用マットを実施するための最良の形態の第４例を示すものである。
【００４３】
第３例では、上層部１の凹部１２の一部（底面１２ｂの一部）を下層部２の代替する構造としてある。
【００４４】
第３例によると、下層部２の荷重の吸収機能を一部で上層部１を介さずに直接的に作用させることができる。従って、感触が柔らかくなるため、女性，老人，子供等の使用に好適となる。
【００４５】
図８は、本発明に係るうつ伏寝用マットを実施するための最良の形態の製造例を示すものである。
【００４６】
この製造例では、下層部２に設けたＵ字形に近似した形状の収容溝２１に上層部１を埋込むようにしている。
【００４７】
この製造例によると、上層部１，下層部２を簡単に一体化させることができ、最上層部６を被せることで外観的に体裁の良い方形のブロック体とすることができるため、下カバー材３，上カバー材４を省略することもできる。なお、下層部２，最上層部６の圧縮変形によって、上層部１の凹部１２は確実に形成される。
【００４８】
図９は、本発明に係るうつ伏寝用マットを実施するための最良の形態の他の製造例を示すものである。
【００４９】
この製造例では、下層部２に設けた収容溝２１を上層部１の凹部１２に相当する部分まで拡張した方形としてある。
【００５０】
この製造例によると、図８の製造例よりも確実に上層部１の凹部１２が形成される。
【００５１】
以上、図示した各例の外に、持運用の取手やうつ伏寝の状態で手を掛ける溝等を追加することも可能である。
【００５２】
さらに、下層部２を圧縮変形性の異なる２層以上とすることも可能である。
【００５３】
さらに、上層部１の係止部１１を顎から顔の頬までをも係止させる深い溝形とすることも可能であり、逆に上層部１の端部に特別な加工を施さずに端部自体を係止部１１として機能させることも可能である。
【産業上の利用可能性】
【００５４】
本発明に係るうつ伏寝用マットは、網膜剥離の治療に最も有効性を発揮するが、単なるうつ伏寝用としても使用が可能である。また、仰向寝の枕や横向寝の補助物等として多目的に使用することが可能である。
【図面の簡単な説明】
【００５５】
【図１】本発明に係るうつ伏寝用マットを実施するための最良の形態の第１例の平面図である。
【図２】図１の中央縦断面図であり、（Ａ）に敷いた状態が示され、（Ｂ）に使用状態が示されている。
【図３】図２のＸ−Ｘ線断面図であり、（Ａ）に敷いた状態が示され、（Ｂ）に使用状態が示されている。
【図４】本発明に係るうつ伏寝用マットを実施するための最良の形態の第２例の断面図である。
【図５】本発明に係るうつ伏寝用マットを実施するための最良の形態の第３例の断面図である。
【図６】本発明に係るうつ伏寝用マットを実施するための最良の形態の第４例の断面図である。
【図７】本発明に係るうつ伏寝用マットを実施するための最良の形態の製造例を示す斜視図である。
【図８】本発明に係るうつ伏寝用マットを実施するための最良の形態の他の製造例を示す斜視図である。
【符号の説明】
【００５６】
１            上層部
１２          凹部
１２ａ        傾斜面
２            下層部
３            下カバー材
４            上カバー材
６            最上層部
【図１】
2009148327.tif 000003
【図２】
2009148327.tif 000004
【図３】
2009148327.tif 000005
【図４】
2009148327.tif 000006
【図５】
2009148327.tif 000007
【図６】
2009148327.tif 000008
【図７】
2009148327.tif 000009
【図８】
2009148327.tif 000010